(57)【要約】【課題】画像形成装置を制御するプリンタドライバを用いた設定時の操作性を向上させることができる制御装置及び制御方法並びにプリンタドライバの提供。【解決手段】画像形成装置を制御する制御装置に、ハードウェア又はソフトウェア（プリンタドライバ）として設定登録部を設け、設定登録部は、プリンタドライバで設定可能な複数の項目が表示される第１の画面（例えば、ドキュメントプロパティ画面）を表示部に表示させ、所定の操作に対して、第１の画面における複数の項目の設定情報を記憶部に記憶させる制御と、複数の項目の中から選択される一部の項目が表示される第２の画面（例えば、ドキュメントプロパティ画面から遷移するカバーシート設定画面）を表示部に表示させ、所定の操作に対して、第２の画面における一部の項目の一部又は全部の設定情報を記憶部に記憶させる制御とが実行可能に構成される。【選択図】図５
2008181264.tif 000002
【特許請求の範囲】
【請求項１】
通信ネットワークを介して画像形成装置に接続される制御装置において、
前記画像形成装置を制御するプリンタドライバで設定可能な全ての項目の設定情報を記憶部に記憶させる制御と、
一部の項目の設定情報を前記記憶部に記憶させる制御と、
が実行可能な設定登録部を少なくとも備えることを特徴とする制御装置。
【請求項２】
通信ネットワークを介して画像形成装置に接続される制御装置において、
前記画像形成装置を制御するプリンタドライバで設定可能な複数の項目が表示される第１の画面を表示部に表示させ、前記複数の項目の設定情報を記憶部に記憶させる制御と、
前記複数の項目の中から選択される一部の項目が表示される第２の画面を前記表示部に表示させ、前記一部の項目の一部又は全部の設定情報を前記記憶部に記憶させる制御と、
が実行可能な設定登録部を少なくとも備えることを特徴とする制御装置。
【請求項３】
前記設定登録部は、前記第２の画面に、予め記憶された前記一部の項目の一部又は全部の設定情報を選択可能に表示させ、選択された前記設定情報に基づいて、前記第２の画面の前記一部の項目の一部又は全部を設定することを特徴とする請求項２記載の制御装置。
【請求項４】
前記一部の項目は、ファクシミリ送信の先頭に添付されるカバーシートに関する項目であることを特徴とする請求項１乃至３のいずれか一に記載の制御装置。
【請求項５】
通信ネットワークを介して画像形成装置に接続される制御装置における制御方法であって、
前記画像形成装置を制御するプリンタドライバで設定可能な全ての項目の設定情報を記憶部に記憶させるか、一部の項目の設定情報を前記記憶部に記憶させるか、を選択可能にすることを特徴とする制御方法。
【請求項６】
通信ネットワークを介して画像形成装置に接続される制御装置における制御方法であって、
前記画像形成装置を制御するプリンタドライバで設定可能な複数の項目が表示される第１の画面を表示部に表示させ、前記複数の項目の設定情報を記憶部に記憶させる第１のステップと、
前記複数の項目の中から選択される一部の項目が表示される第２の画面を前記表示部に表示させ、前記一部の項目の一部又は全部の設定情報を前記記憶部に記憶させる第２のステップと、を選択可能にすることを特徴とする制御方法。
【請求項７】
前記第２のステップでは、前記第２の画面に、予め記憶された前記一部の項目の一部又は全部の設定情報を選択可能に表示し、選択された前記設定情報に基づいて、前記第２の画面の前記一部の項目の一部又は全部を設定することを特徴とする請求項６記載の制御方法。
【請求項８】
前記一部の項目は、ファクシミリ送信の先頭に添付されるカバーシートに関する項目であることを特徴とする請求項５乃至７のいずれか一に記載の制御方法。
【請求項９】
画像形成装置を制御するプリンタドライバであって、
コンピュータを、
前記プリンタドライバで設定可能な全ての項目の設定情報を所定の記憶部に記憶させる制御と、
一部の項目の設定情報を前記所定の記憶部に記憶させる制御と、
が実行可能な設定登録部、として機能させることを特徴とするプリンタドライバ。
【請求項１０】
画像形成装置を制御するプリンタドライバであって、
コンピュータを、
前記プリンタドライバで設定可能な複数の項目が表示される第１の画面を表示部に表示させ、前記複数の項目の設定情報を所定の記憶部に記憶させる制御と、
前記複数の項目の中から選択される一部の項目が表示される第２の画面を前記表示部に表示させ、前記一部の項目の一部又は全部の設定情報を前記所定の記憶部に記憶させる制御と、
が実行可能な設定登録部、として機能させることを特徴とするプリンタドライバ。
【請求項１１】
前記設定登録部は、前記第２の画面に、予め記憶された前記一部の項目の一部又は全部の設定情報を選択可能に表示させ、選択された前記設定情報に基づいて、前記第２の画面の前記一部の項目の一部又は全部を設定することを特徴とする請求項１０記載のプリンタドライバ。
【請求項１２】
前記一部の項目は、ファクシミリ送信の先頭に添付されるカバーシートに関する項目であることを特徴とする請求項９乃至１１のいずれか一に記載のプリンタドライバ。
【発明の詳細な説明】
【技術分野】
【０００１】
本発明は、画像形成装置を制御する制御装置及び該制御装置における制御方法並びに該制御装置で動作するプリンタドライバに関する。
【背景技術】
【０００２】
コピー機能やファクシミリ機能、プリンタ機能、スキャナ機能などを備える複写機や複合機（以下、これらを総称して画像形成装置と呼ぶ。）が普及している。この画像形成装置をネットワークプリンタとして利用して印刷を実行する場合、まず、ネットワークに接続されているコンピュータ端末にインストールされている文書アプリケーションを用いて文書を作成した後、画像形成装置を制御するためのソフトウェア（プリンタドライバ）を用いてページ記述言語（ＰＤＬ：Page Description Language）形式の印刷データに変換して画像形成装置に送信し、画像形成装置では、印刷データを解析して中間データを生成した後、ビットマップデータに変換して紙媒体に出力する（例えば、下記特許文献１参照）。
【０００３】
また、上記画像形成装置を用いてファクシミリ通信（以下、ＦＡＸと略記する。）を行う場合は、送信する文書を作成した後、プリンタドライバを用いてＦＡＸの表紙（以下、カバーシートと呼ぶ。）を作成し、カバーシートと文書を印刷データに変換して画像形成装置に送信し、画像形成装置では、印刷データを解析して中間データを生成した後、ビットマップデータに変換して予め指示された他の画像形成装置に送信し、他の画像形成装置で紙媒体に出力する。
【０００４】
【特許文献１】特開２００６−２５４０４２号公報
【発明の開示】
【発明が解決しようとする課題】
【０００５】
上記プリンタドライバを用いてカバーシートを作成する場合、プリンタドライバで設定可能な項目が表示される画面（例えば、ドキュメントプロパティ画面）を表示させ、更に、このドキュメントプロパティ画面において、所定のボタン操作（例えば、ＦＡＸカバーシートの設定ボタンの押下）を行って、カバーシートに関する項目が表示される画面（例えば、カバーシート設定画面）を表示させることになる。
【０００６】
ここで、上記カバーシートには、送付先や発信者の会社名、部署名、名前、ＦＡＸ番号、電話番号、用件の名称や内容等の各種情報を入力する必要があり、頻繁にＦＡＸを行う場合に同じ情報を何度も入力するのは煩雑であることから、通常、ドキュメントプロパティ画面において、所定のボタン操作（例えは、保存ボタンの押下）を行うことにより、ドキュメントプロパティ画面で設定した全ての項目の設定情報が記憶できるようになっており、記憶した設定情報を呼び出すことにより入力の手間を省くことができる。
【０００７】
しかしながら、例えば、以前に作成したカバーシートを利用するために予め記憶した設定情報を呼び出した場合、ドキュメントプロパティ画面の全ての項目が、呼び出した設定情報に基づいて自動的に設定されるため、カバーシート以外の項目に関する設定が適切であるかを確認しなければならず、操作性が悪いという問題があった。この問題はカバーシートに関する項目の設定情報を利用する場合に限らず、プリンタドライバで設定可能な項目の中の一部の項目の設定情報を利用する場合にも同様に生じる。
【０００８】
本発明は上記問題点に鑑みてなされたものであり、その主たる目的は、画像形成装置を制御するプリンタドライバを用いた設定時の操作性を向上させることができる制御装置及び制御方法並びにプリンタドライバを提供することにある。
【課題を解決するための手段】
【０００９】
上記目的を達成するため、本発明は、通信ネットワークを介して画像形成装置に接続される制御装置において、前記画像形成装置を制御するプリンタドライバで設定可能な全ての項目の設定情報を記憶部に記憶させる制御と、一部の項目の設定情報を前記記憶部に記憶させる制御と、が実行可能な設定登録部を少なくとも備えるものである。
【００１０】
また、本発明は、通信ネットワークを介して画像形成装置に接続される制御装置において、前記画像形成装置を制御するプリンタドライバで設定可能な複数の項目が表示される第１の画面を表示部に表示させ、前記複数の項目の設定情報を記憶部に記憶させる制御と、前記複数の項目の中から選択される一部の項目が表示される第２の画面を前記表示部に表示させ、前記一部の項目の一部又は全部の設定情報を前記記憶部に記憶させる制御と、が実行可能な設定登録部を少なくとも備えるものである。
【００１１】
本発明においては、前記設定登録部は、前記第２の画面に、予め記憶された前記一部の項目の一部又は全部の設定情報を選択可能に表示させ、選択された前記設定情報に基づいて、前記第２の画面の前記一部の項目の一部又は全部を設定する構成とすることができる。
【００１２】
また、本発明においては、前記一部の項目は、ファクシミリ送信の先頭に添付されるカバーシートに関する項目とすることができる。
【００１３】
また、本発明は、通信ネットワークを介して画像形成装置に接続される制御装置における制御方法であって、前記画像形成装置を制御するプリンタドライバで設定可能な全ての項目の設定情報を記憶部に記憶させるか、一部の項目の設定情報を前記記憶部に記憶させるか、を選択可能にするものである。
【００１４】
また、本発明は、通信ネットワークを介して画像形成装置に接続される制御装置における制御方法であって、前記画像形成装置を制御するプリンタドライバで設定可能な複数の項目が表示される第１の画面を表示部に表示させ、前記複数の項目の設定情報を記憶部に記憶させる第１のステップと、前記複数の項目の中から選択される一部の項目が表示される第２の画面を前記表示部に表示させ、前記一部の項目の一部又は全部の設定情報を前記記憶部に記憶させる第２のステップと、を選択可能にするものである。
【００１５】
本発明においては、前記第２のステップでは、前記第２の画面に、予め記憶された前記一部の項目の一部又は全部の設定情報を選択可能に表示し、選択された前記設定情報に基づいて、前記第２の画面の前記一部の項目の一部又は全部を設定する構成とすることができる。
【００１６】
また、本発明は、画像形成装置を制御するプリンタドライバであって、コンピュータを、前記プリンタドライバで設定可能な全ての項目の設定情報を所定の記憶部に記憶させる制御と、一部の項目の設定情報を前記所定の記憶部に記憶させる制御と、が実行可能な設定登録部、として機能させるものである。
【００１７】
また、本発明は、画像形成装置を制御するプリンタドライバであって、コンピュータを、前記プリンタドライバで設定可能な複数の項目が表示される第１の画面を表示部に表示させ、前記複数の項目の設定情報を所定の記憶部に記憶させる制御と、前記複数の項目の中から選択される一部の項目が表示される第２の画面を前記表示部に表示させ、前記一部の項目の一部又は全部の設定情報を前記所定の記憶部に記憶させる制御と、が実行可能な設定登録部、として機能させるものである。
【００１８】
このように、本発明は上記構成により、画像形成装置を制御するプリンタドライバで設定可能な複数の項目の設定情報を記憶するか、その中の一部の項目の一部又は全部の設定情報を記憶するかを選択できるため、特定の項目の設定情報のみを利用することができ、プリンタドライバを用いた設定時の操作性を向上させることができる。
【発明の効果】
【００１９】
本発明の制御装置及び制御方法並びにプリンタドライバによれば、プリンタドライバを用いた設定時の操作性を向上させることができる。
【００２０】
その理由は、制御装置の設定登録部（又はプリンタドライバ）は、プリンタドライバで設定可能な複数の項目が表示される第１の画面（例えば、ドキュメントプロパティ画面）における所定の操作に対して、第１の画面の複数の項目の設定情報を記憶部に記憶させる制御と、その中の一部の項目が表示される第２の画面（例えば、カバーシート設定画面）における所定の操作に対して、第２の画面の一部の項目の一部又は全部の設定情報を記憶部に記憶させる制御と、が実行可能なため、ユーザは特定の項目の設定情報のみを利用することができるからである。
【発明を実施するための最良の形態】
【００２１】
本発明は、その好ましい一実施の形態において、画像形成装置を制御する制御装置に、ハードウェア又はソフトウェア（プリンタドライバ）として設定登録部を設け、設定登録部は、プリンタドライバで設定可能な複数の項目が表示される第１の画面（例えば、ドキュメントプロパティ画面）を表示部に表示させ、所定の操作に対して、第１の画面における複数の項目の設定情報を記憶部に記憶させる制御と、複数の項目の中から選択される一部の項目が表示される第２の画面（例えば、ドキュメントプロパティ画面から遷移するカバーシート設定画面）を表示部に表示させ、所定の操作に対して、第２の画面における一部の項目の一部又は全部の設定情報を記憶部に記憶させる制御と、が実行可能に構成される。
【００２２】
これにより、例えば、以前に作成したカバーシートを利用したい場合に、カバーシートの設定情報のみを呼び出すことができるため、他の項目の設定が適切であるか否かを確認する必要がなくなり、プリンタドライバを用いた設定時の操作性を向上させることができる。
【実施例】
【００２３】
上記した本発明の一実施の形態についてさらに詳細に説明すべく、本発明の一実施例に係る制御装置及び制御方法並びにプリンタドライバについて、図１乃至図１２を参照して説明する。図１は、本実施例の印刷システムの構成を模式的に示す図である。また、図２は、コンピュータ端末の構成を示すブロック図、図３は、プリンタドライバによりコンピュータ端末で実行される機能を示すブロック図であり、図４は、画像形成装置の構成を示すブロック図である。また、図５は、本実施例のコンピュータ端末における制御手順を示すフローチャート図であり、図６乃至図１２は、コンピュータ端末の表示部に表示される画面の構成例を示す図である。
【００２４】
図１に示すように、本実施例の印刷システム１０は、文書を作成するアプリケーション（以下、文書アプリケーションと呼ぶ。）で作成した文書に表紙（カバーシート）を添付してＦＡＸを指示する１又は複数の制御装置（以下、コンピュータ端末２０とする。）と、コンピュータ端末２０からの指示に基づいてＦＡＸを実行するファクシミリやデジタル複合機などの１又は複数の画像形成装置３０と、画像形成装置３０から送信されるデータを受信して表紙及び文書を印刷するファクシミリやデジタル複合機などの１又は複数の画像形成装置３０ａと、を備え、コンピュータ端末２０と画像形成装置３０と画像形成装置３０ａとは、ＬＡＮ（Local Area Network）やＷＡＮ（Wide Area Network）などの通信ネットワークを介して接続されている。
【００２５】
また、図２に示すように、コンピュータ端末２０は、ＣＰＵ（Central Processing Unit）２１ａ、ＲＯＭ（Read Only Memory）２１ｂ、ＲＡＭ（Random Access Memory）２１ｃなどで構成される制御部２１と、プログラムやデータを記憶するハードディスクなどの記憶部２２と、各種操作を行うキーボードなどの操作部２３と、後述する各種画面を表示するＬＣＤ（Liquid Crystal Display）などの表示部２４と、通信ネットワークに接続するためのＮＩＣ（Network Interface Card）やモデムなどのネットワーク接続部２５とを備え、ＯＳ（Operating System）や文書アプリケーション、画像形成装置３０を制御するためのデバイスドライバ（以下、プリンタドライバと呼ぶ。）は、通常、ＲＯＭ２１ｂ又は記憶部２２からＲＡＭ２１ｃに読み込まれてＣＰＵ２１ａ上で実行される。
【００２６】
また、図３に示すように、上記プリンタドライバは、コンピュータ端末２０の制御部２１を、カバーシートと文書とをページ記述言語に変換したデータ（以下、印刷データと呼ぶ。）を生成する印刷データ生成部２６、画像形成装置３０に対して設定可能な項目（ＦＡＸの送付先、発信者、用件などのカバーシートに関する項目、給紙トレイや用紙種類の選択、タブ紙の挿入などの用紙に関する項目、コピープロテクトなどの印刷に関する項目、仕上げ設定などの後処理に関する項目など）をユーザに設定させるための画面（以下、ドキュメントプロパティ画面と呼ぶ。）や、上記設定可能な項目の中の一部の項目をユーザに設定させるための画面（例えば、後述するカバーシート設定画面）などを表示部２４に表示させ、各々の画面における設定情報を利用可能に登録する設定登録部２７、印刷データを画像形成装置３０に送信し、上記項目の設定情報に基づいて画像形成装置３０に処理（例えば、ＦＡＸ）を指示する指示部２８などとして機能させる。
【００２７】
なお、図１では、コンピュータ端末２０としてパーソナルコンピュータを示しているが、コンピュータ端末２０は画像形成装置３０が制御可能な機器であればよく、例えば、ＰＤＡ（Personal Digital Assistants）や携帯電話機などとしてもよい。また、図１では、文書アプリケーションやプリンタドライバをコンピュータ端末２０のＲＯＭ２１ｂや記憶部２２に記憶させる構成としたが、これらのプログラムを通信ネットワークで接続される他のコンピュータ端末やサーバなどに記憶しておき、他のコンピュータ端末やサーバから読み出して実行する構成としてもよいし、他のコンピュータ端末やサーバ上で動作させる構成としてもよい。
【００２８】
また、図３では、プリンタドライバは、コンピュータ端末２０の制御部２１を、印刷データ生成部２６、設定登録部２７、指示部２８として機能させる構成としたが、文書データがＸＰＳ（XML Paper Specification）に基づいて作成されたデータ、ＰＤＦ（Portable Document Format）データ、ＰＳ（Post Script）やＰＣＬ（Printer Control Language）等で記述されたデータの場合は画像形成装置３０や画像形成装置３０ａで文書データを利用することができるため、その場合は印刷データ生成部２６を省略することもできるし、文書アプリケーションやＯＳが指示部２８としての機能を有する場合は、指示部２８を省略することもできる。
【００２９】
また、図４に示すように、画像形成装置３０（画像形成装置３０ａも同様）は、ＣＰＵ３１ａ、ＲＯＭ３１ｂ、ＲＡＭ３１ｃ、ＨＤＤ３２、ＵＳＢ  Ｉ／Ｆ３３、ネットワークＩ／Ｆ３４、表示操作部３５、言語解析部３６、画像処理部３７、印刷部３８などで構成され、これらはバスを介して接続されている。
【００３０】
ＲＯＭ３１ｂは、画像形成装置３０全体の動作を制御するためのプログラム等を記憶する。ＲＡＭ３１ｃは、ＣＰＵ３１ａによる制御に必要なデータ及び制御動作時に一時記憶が必要なデータ等を記憶する。そして、ＣＰＵ３１ａはＲＯＭ３１ｂ、ＲＡＭ３１ｃと協働して画像形成装置全体の動作を制御する制御部３１として機能する。
【００３１】
ＨＤＤ３２は、コンピュータ端末２０から取得した印刷データなどを保存する。
【００３２】
ネットワークＩ／Ｆ３４は、ＮＩＣやモデムなどの通信ネットワークに接続するためのインターフェースであり、コンピュータ端末２０から印刷データなどを受信すると共に、電話回線などを介して、印刷データを画像形成装置３０ａに送信する。
【００３３】
ＵＳＢ  Ｉ／Ｆ３３は、ＵＳＢ（Universal Serial Bus）メモリなどのデバイスを接続するためのインターフェースである。
【００３４】
表示操作部３５は、ＬＣＤなどの表示部と表示部を覆うタッチパネルなどの操作部から構成され、ＣＰＵ３１ａからの表示信号に従って、アイコンやキーボタン、印刷に必要な各種設定をＬＣＤ等に表示すると共に、タッチパネル等から入力される操作信号をＣＰＵ３１ａに出力する。
【００３５】
言語解析部３６は、ネットワークＩ／Ｆ３４を介してコンピュータ端末２０から取得した印刷データを解析し、印刷データをビットマップ形式のデータ（以下、ビットマップデータと呼ぶ。）に展開する前の中間形式のデータ（以下、中間データと呼ぶ。）を作成する処理を行う。
【００３６】
画像処理部３７は、言語解析部３６により作成された中間データから印刷可能なビットマップデータを作成する処理を行う。
【００３７】
印刷部３８は、画像処理部３７により作成されたビットマップデータに基づいて、上記パラメータで特定される印刷モードに従って印刷を行う。具体的には、帯電装置により帯電された感光体ドラムに露光装置からビットマップデータに応じた光を照射して静電潜像を形成し、現像装置で帯電したトナーを付着させて現像し、そのトナー像を一次転写ローラ、二次転写ベルトを介して紙媒体に転写して定着装置で定着させる処理を行う。
【００３８】
なお、言語解析部３６や画像処理部３７はハードウェアとして構成してもよいし、コンピュータを言語解析部３６や画像処理部３７として機能させるプログラムとして構成して制御部３１上で動作させる構成としてもよい。また、本実施例の画像形成装置３０はＦＡＸ機能を備え、画像形成装置３０ａはＦＡＸ機能と印刷機能を備えていればよく、例えば、ＵＳＢ  Ｉ／Ｆ３３などを省略してもよいし、ステープル処理やパンチ処理などを行うフィニッシャなどを追加してもよい。
【００３９】
ここで、従来技術で示したように、従来の制御装置では、ドキュメントプロパティ画面で表示される複数の項目の設定情報を一括して記憶することはできるが、一部の項目の設定情報のみを記憶することができないため、例えば、一部の項目の設定情報を利用する場合には、他の項目の設定を確認しなければならず、設定時の操作性が悪いという問題があった。例えば、カバーシートに関する項目の設定情報のみを利用したい場合でも、ドキュメントプロパティ画面の全ての項目が設定情報に基づいて自動的に設定されるため、給紙トレイや用紙種類が適切であるか、後処理が適切であるかなど、他の項目の設定が適切であるかを確認しなければならないという問題があった。
【００４０】
そこで、本実施例では、ドキュメントプロパティ画面で表示される複数の項目の設定情報を一括して記憶するか、その中から選択される一部の項目の一部又は全部の設定情報のみを記憶するかを選択できるようにし、ユーザが所望する項目の設定情報のみを利用できるようにする。
【００４１】
具体的には、制御部２１の設定登録部２７（又はプリンタドライバ）は、表示部２４に図６に示すようなドキュメントプロパティ画面４０を表示させ、所定の操作（例えば、設定情報登録／呼出欄４１の操作）に対して、ドキュメントプロパティ画面４０で設定可能な項目の設定情報を記憶部２２等に記憶させる制御と、ドキュメントプロパティ画面４０の所定の操作（例えば、画面遷移ボタン４２の押下）に応じて、表示部２４に図７に示すようなカバーシート設定画面５０を表示させ、所定の操作（例えば、設定情報登録／呼出欄５１の操作）に対して、カバーシート設定画面５０で設定可能な項目の一部又は全部の設定情報を記憶部２２等に記憶させる制御とを実行可能にする。なお、本図から明らかなように、ドキュメントプロパティ画面４０は複数タブを有しており、これらのタブを選択することにより分類化された設定可能な項目を選択的に表示している。そして、設定情報登録／呼出欄４１の操作によって、現在選択されているタブに分類された設定項目の内容及び、非選択タブに分類されている設定項目の内容も全て一組として記憶部２２等に記憶される。
【００４２】
なお、設定登録部２７（又はプリンタドライバ）は、プリンタドライバで設定可能な複数の項目が表示される画面における設定情報の記憶と、その中の一部の項目が表示される画面における設定情報の記憶とが実行可能であればよく、画面の構成や記憶の指示方法、設定情報を記憶する場所などは特に限定されない。
【００４３】
次に、図５のフローチャート図を参照して、本実施例のコンピュータ端末２０で実行される制御について具体的に説明する。
【００４４】
まず、ユーザの所定の操作により、制御部２１は、ＲＯＭ２１ｂや記憶部２２、又は、通信ネットワークを介して接続されている他のコンピュータ端末やサーバなどから文書アプリケーションを読み出して起動、又は、他のコンピュータ端末やサーバ上で文書アプリケーションを起動させる。そして、ユーザは、文書アプリケーションを用いてＦＡＸの対象となる文書データを作成する。なお、文書データは本ステップで作成したものに限らず、予め作成した文書データをＲＯＭ２１ｂや記憶部２２、他のコンピュータ端末やサーバなどから取得してもよい。
【００４５】
次に、ユーザが文書アプリケーションの画面において所定の操作を行うと、ステップＳ１０１で、制御部２１は、表示部２４に、ＦＡＸを実行する画像形成装置３０の選択などの設定を行うためのＦＡＸ設定画面を表示させる。
【００４６】
次に、ユーザが、ＦＡＸ設定画面の所定のボタン（通常はプロパティボタン）を押下すると、ステップＳ１０２で、制御部２１は、ＯＳの印刷機能によりプリンタドライバを参照して設定登録部２７として動作し、設定登録部２７（又はプリンタドライバ）は、表示部２４に、図６に示すようなドキュメントプロパティ画面４０を表示させる。なお、ここでは、コンピュータ端末２０上でプリンタドライバを動作させる構成としているが、通信ネットワークを介して接続されている他のコンピュータ端末やサーバのプリンタドライバが共有可能な場合は、他のコンピュータ端末やサーバ上でプリンタドライバを動作させてもよい。
【００４７】
このドキュメントプロパティ画面４０は、プリンタドライバで設定可能な複数の項目がタブで分類されて表示されており、ステップＳ１０３で、ユーザは、所定のタブを選択して各種項目の設定を行う。例えば、”ＦＡＸ”タブを選択して、解像度を選択したり、送信ファイルを印刷するか否かを選択したり、タイマー送信の設定などを行う。なお、ドキュメントプロパティ画面４０の設定情報が予め記憶されている場合は、ドキュメントプロパティ画面４０に設けられた設定情報登録／呼出欄４１を操作して、予め記憶された設定情報を呼び出し、必要に応じて、個々の項目の設定を編集してもよい。
【００４８】
次に、特定の項目の設定（ここでは、カバーシートに関する項目の設定）を行う場合は、ユーザが画面遷移を指示（ここでは、ドキュメントプロパティ画面４０の画面遷移ボタン４２を押下）すると、ステップＳ１０４で、制御部２１の設定登録部２７（又はプリンタドライバ）は、表示部２４に、図７に示すようなカバーシート設定画面５０を表示させる。
【００４９】
このカバーシート設定画面５０には、カバーシートに関する項目がタブで分類された入力欄と、カバーシートをイメージとして表示するレイアウト欄と、カバーシートのサイズを選択するためのカバーサイズ欄と、カバーシートに関する項目の設定情報の記憶や編集、呼び出しを指示するための設定情報登録／呼出欄５１などが設けられており、ステップＳ１０５で、ユーザは、以前に登録した設定情報を呼び出すか否かを判断し、カバーシートを新規に作成する場合は、ステップＳ１０６で、入力欄の各タブを選択して個々の項目の設定を行う。
【００５０】
例えば、図７に示すように、”基本”タブを選択し、カバーシートのスタイル（各種情報のレイアウト、書式など）の選択、用件の名称をカバーシートに記載するか否かの選択や用件の名称の入力、ＦＡＸの日付をカバーシートに記載するか否かの選択や日付の形式の選択、通信欄に記載する文字の入力などを行う。また、図８に示すように、”送付先”タブを選択し、送付先を定型の中から選択するか入力するかの選択、送付先を連名で記載するか送付先毎に変更するか設定した情報を記載するかの選択、設定した情報を記載する場合は、会社名、部署名、名前、ＦＡＸ番号の入力などを行う。また、図９に示すように、”発信者”タブを選択し、会社名、部署名、名前、電話番号、ＦＡＸ番号、電子メールアドレスなどの発信者に関する情報の入力を行う。また、図１０に示すように、”イメージ”タブを選択し、イメージを貼り付けるか否かの選択、貼り付ける場合はそのファイル名の入力又は選択、イメージをズームするか否かの選択、ズームする場合はその倍率、イメージの位置の設定などを行う。
【００５１】
なお、図７乃至図１０のカバーシート設定画面５０は例示であり、画面の構成、各タブで表示される個々の項目の内容などは特に限定されない。また、設定状態を視覚的に確認できるようにするために、各タブで設定した情報は、その場でレイアウト欄のカバーシートのイメージに反映されることが好ましい。
【００５２】
一方、ステップＳ１０５で以前に登録した設定情報を呼び出す場合は、カバーシート設定画面５０の設定情報登録／呼出欄５１のプルダウンメニューの中から所望の名称の設定情報を選択すると、ステップＳ１０７で、制御部２１の設定登録部２７（又はプリンタドライバ）は、選択された設定情報を記憶部２２から呼び出し、その設定情報に基づいて、カバーシート設定画面５０の各タブの項目を設定する。そして、ユーザは各項目の設定の確認や必要に応じて項目の編集を行う。
【００５３】
なお、設定情報の名称の変更やプルダウンメニューの表示順の変更、設定情報の削除などを行う場合は、ユーザがカバーシート設定画面５０の設定情報登録／呼出欄５１の編集ボタンを押下すると、制御部２１の設定登録部２７（又はプリンタドライバ）は、表示部２４に、図１２に示すようなカバーシート設定編集画面５３を表示させる。このカバーシート設定編集画面５３には、予め登録された設定情報の名称が一覧表示されるカバーシート設定リスト欄と、選択した設定情報の表示順を変更したり削除するボタンと、設定情報の名称を入力する名称欄と、カバーシート設定画面５０における個々の項目の設定情報をタブで分類して表示する欄などが設けられており、ユーザは、カバーシート設定リストから所望の名称の設定情報を選択し、名称欄でその名称を変更したり、上下ボタンを押下して選択された設定情報の表示順を変更したり、削除ボタンを押して選択された設定情報の削除を行う。
【００５４】
次に、ステップＳ１０８で、ユーザは、カバーシート設定画面５０の設定情報を記憶するか否かを判断し、記憶する場合は、カバーシート設定画面５０の設定情報登録／呼出欄５１の保存ボタンを押下すると、ステップＳ１０９で、制御部２１の設定登録部２７（又はプリンタドライバ）は、表示部２４に、図１１に示すようなカバーシート設定保存画面５２を表示させる。このカバーシート設定保存画面５２には、予め登録された設定情報の名称が一覧表示されるカバーシート設定リスト欄と、設定情報の名称を入力する名称欄と、カバーシート設定画面５０における詳細項目の設定情報をタブで分類して表示する欄などが設けられており、ユーザが名称欄に所望の名称を入力して、ＯＫボタンを押下すると、制御部２１の設定登録部２７（又はプリンタドライバ）は、カバーシート設定画面５０の各項目の設定状態を判別し、カバーシート毎の設定情報を記憶部２２に記憶させる。
【００５５】
なお、上記設定情報は、カバーシート設定画面５０で設定可能な全項目を対象としてもよいが、送付先に関しては、誤送付を防止するために対象から除外してもよい。また、カバーシート毎の設定情報の記憶方法は任意であり、例えば、名称欄でユーザが入力した名称をファイル名とするファイルとして個別に記憶してもよいし、複数の設定情報を含むテーブルとして記憶してもよい。また、この設定情報の記憶場所も特に限定されず、例えば、通信ネットワークで接続されている他のコンピュータ端末やサーバに記憶し、複数のコンピュータ端末２０で設定情報を共有できるようにしてもよい。
【００５６】
次に、ユーザは所定の操作を行って、カバーシート設定画面５０を閉じて、ドキュメントプロパティ画面４０を表示させ、ステップＳ１１０で、ドキュメントプロパティ画面４０の設定情報を記憶するかを判断し、設定情報を記憶する場合は、ドキュメントプロパティ画面４０の設定情報登録／呼出欄４１を操作して、追加ボタンを押下すると、ステップＳ１１１で、制御部２１の設定登録部２７（又はプリンタドライバ）は、ドキュメントプロパティ画面４０の各項目の設定状態を判別し、ドキュメントプロパティ画面４０全体の設定情報を記憶部２２に記憶させる。
【００５７】
なお、ドキュメントプロパティ画面４０全体の設定情報の記憶方法も任意であり、例えば、ユーザが入力した名称をファイル名とするファイルとして個別に記憶してもよいし、複数の設定情報を含むテーブルとして記憶してもよい。また、この設定情報の記憶場所も特に限定されず、例えば、通信ネットワークで接続されている他のコンピュータ端末やサーバに記憶し、複数のコンピュータ端末２０で設定情報を共有できるようにしてもよい。
【００５８】
その後、ドキュメントプロパティ画面４０のＯＫボタンを押下してＦＡＸ設定画面に戻り、ＦＡＸ設定画面の所定のボタン（例えば、ＦＡＸ送信ボタン）を押下すると、ステップＳ１１２で、制御部２１の印刷データ生成部２６（又はプリンタドライバ）は、カバーシート及び文書をページ記述言語に変換して印刷データを生成し、ステップＳ１１３で、制御部２１の指示部２８（又はプリンタドライバ）は、印刷データを画像形成装置３０に送信して、画像形成装置３０にカバーシート及び文書のＦＡＸを指示し、画像形成装置３０は受信した印刷データをビットマップデータに変換して指定された画像形成装置３０ａに送信し、データを受信した画像形成装置３０ａは、カバーシート及び文書を印刷する。
【００５９】
このように、本実施例では、制御部２１の設定登録部２７（又はプリンタドライバ）は、ドキュメントプロパティ画面４０の設定情報登録／呼出欄４１の操作に対して、ドキュメントプロパティ画面４０全体の設定情報を記憶部２２等に記憶させる制御と、カバーシート設定画面５０の設定情報登録／呼出欄５１の操作に対して、カバーシート毎の設定情報を記憶部２２等に記憶させる制御とが実行可能であるため、ユーザは、以前に作成したカバーシートを有効に利用することができ、これにより、プリンタドライバを用いた設定時の操作性を向上させることができる。
【００６０】
なお、上記実施例では、カバーシートに関する項目の設定情報を登録する場合を例にして説明したが、本発明は上記実施例に限定されるものではなく、プリンタドライバで設定可能な任意の項目（例えば、タブ紙に関する項目、コピープロテクトに関する項目、後処理に関する項目など）の設定情報を登録する場合に対しても、同様に適用することができる。
【産業上の利用可能性】
【００６１】
本発明は、画像形成装置を制御する制御装置及び該制御装置における制御方法並びに該制御装置で動作するプリンタドライバに利用可能である。
【図面の簡単な説明】
【００６２】
【図１】本発明の一実施例に係る印刷システムの構成を模式的に示す図である。
【図２】本発明の一実施例に係るコンピュータ端末の構成を示すブロック図である。
【図３】本発明の一実施例に係るプリンタドライバによりコンピュータ端末で実行される機能を示すブロック図である。
【図４】本発明の一実施例に係る画像形成装置の構成を示すブロック図である。
【図５】本発明の一実施例に係るコンピュータ端末における制御手順を示すフローチャート図である。
【図６】本発明の一実施例に係るコンピュータ端末の表示部に表示される画面（ドキュメントプロパティ画面）の構成例を示す図である。
【図７】本発明の一実施例に係るコンピュータ端末の表示部に表示される画面（カバーシート設定画面（基本タブ））の構成例を示す図である。
【図８】本発明の一実施例に係るコンピュータ端末の表示部に表示される画面（カバーシート設定画面（送付先タブ））の構成例を示す図である。
【図９】本発明の一実施例に係るコンピュータ端末の表示部に表示される画面（カバーシート設定画面（発信者タブ））の構成例を示す図である。
【図１０】本発明の一実施例に係るコンピュータ端末の表示部に表示される画面（カバーシート設定画面（イメージタブ））の構成例を示す図である。
【図１１】本発明の一実施例に係るコンピュータ端末の表示部に表示される画面（カバーシート設定保存画面）の構成例を示す図である。
【図１２】本発明の一実施例に係るコンピュータ端末の表示部に表示される画面（カバーシート設定編集画面）の構成例を示す図である。
【符号の説明】
【００６３】
１０  印刷システム
２０  コンピュータ端末
２１  制御部
２１ａ  ＣＰＵ
２１ｂ  ＲＯＭ
２１ｃ  ＲＡＭ
２２  記憶部
２３  操作部
２４  表示部
２５  ネットワーク接続部
２６  印刷データ生成部
２７  設定登録部
２８  指示部
３０  画像形成装置
３１ａ  ＣＰＵ
３１ｂ  ＲＯＭ
３１ｃ  ＲＡＭ
３２  ＨＤＤ
３３  ＵＳＢ  Ｉ／Ｆ
３４  ネットワークＩ／Ｆ
３５  表示操作部
３６  言語解析部
３７  画像処理部
３８  印刷部
４０  ドキュメントプロパティ画面
４１  設定情報登録／呼出欄
５０  カバーシート設定画面
５１  設定情報登録／呼出欄
５２  カバーシート設定保存画面
５３  カバーシート設定編集画面
【図１】
2008181264.tif 000003
【図２】
2008181264.tif 000004
【図３】
2008181264.tif 000005
【図４】
2008181264.tif 000006
【図５】
2008181264.tif 000007
【図６】
2008181264.tif 000008
【図７】
2008181264.tif 000009
【図８】
2008181264.tif 000010
【図９】
2008181264.tif 000011
【図１０】
2008181264.tif 000012
【図１１】
2008181264.tif 000013
【図１２】
2008181264.tif 000014